(57)【要約】【課題】ユーザ端末とメールサーバとの間に接続されたメール監視装置で、正常のメール送受信処理と迷惑メールの排除とを両立させる。【解決手段】メールクライアント処理部１２が、メールサーバ３０に対する仮想的なメールクライアントとして動作して、メールサーバ３０からメールを取得し、メール判定部１５が、当該メールが迷惑メールであるか否か判定し、メールサーバ処理部１４が、ユーザ端末２０に対する仮想的なメールサーバとして動作して、メールサーバ３０から取得したメールのうち迷惑メールではないと判定されたメールのみを、ユーザ端末２０へ転送する。【選択図】  図１
2018041242.tif 000002
【特許請求の範囲】
【請求項１】
メールサーバとユーザ端末との間に接続されて、前記メールサーバから取得した前記ユーザ端末へのメールに関するメールチェックを行うメール監視装置であって、
前記メールサーバに対する仮想的なメールクライアントとして動作し、前記メールサーバから前記メールを取得するメールクライアント処理部と、
前記メールが迷惑メールであるか否か判定するメール判定部と、
前記ユーザ端末に対する仮想的なメールサーバとして動作し、前記メールのうち迷惑メールではないと判定されたメールのみを、前記ユーザ端末へ転送するメールサーバ処理部と
を備えることを特徴とするメール監視装置。
【請求項２】
メールサーバとユーザ端末との間に接続されて、前記ユーザ端末から取得した前記メールサーバへのメールに関するメールチェックを行うメール監視装置であって、
前記ユーザ端末に対する仮想的なメールサーバとして動作し、前記ユーザ端末から前記メールを取得するメールサーバ処理部と、
前記メールが迷惑メールであるか否か判定するメール判定部と、
前記メールサーバに対する仮想的なメールクライアントとして動作し、前記メールのうち迷惑メールではないと判定されたメールのみを、前記メールサーバへ転送するメールクライアント処理部と
を備えることを特徴とするメール監視装置。
【請求項３】
請求項１または請求項２に記載のメール監視装置において、
前記メール判定部は、前記メールが迷惑メールであると判定された場合、前記メールを削除することを特徴とするメール監視装置。
【請求項４】
請求項１または請求項２に記載のメール監視装置において、
前記メール判定部で前記メールが迷惑メールであると判定された場合、前記メールを保存するメール保存部と、
前記ユーザ端末からの閲覧指示に応じて、指定されたメールのメール本文を前記メール保存部から読み出して、メール本文を表示した表示画面を前記ユーザ端末の画面に表示するメール内容表示部とをさらに備える
ことを特徴とするメール監視装置。
【発明の詳細な説明】
【技術分野】
【０００１】
本発明は、ユーザ端末がメールサーバとの間でやり取りするメールに対して、迷惑メールか否かのチェックを行うためのメール監視技術に関する。
【背景技術】
【０００２】
従来、ＰＣなどのユーザ端末をＷＡＮに接続するゲートウェイ装置において、ユーザ端末とＷＡＮのメールサーバとの間でやり取りするメールに対して、ウィルスメールやスパムメールなどの迷惑メールか否かのチェックを行うメール監視技術が提案されている（例えば、特許文献１など参照）。
また、各利用者から登録されたブラックリストに基づいて、ブラックリスト検証サービスが、メールサーバから検証依頼されたメールがブラックリストに登録されているか検証し、得られた検証結果をメールサーバに返送する技術が提案されている（例えば、特許文献２など参照）。
【先行技術文献】
【特許文献】
【０００３】
【特許文献１】特開２００４−２８７７９０号公報
【特許文献２】特開２０１０−０１５５２６号公報
【発明の概要】
【発明が解決しようとする課題】
【０００４】
このような従来技術では、受信メールがウィルスメールであった場合には、ウィルスに感染している添付ファイルを削除してユーザ端末へ転送する機能や、受信メールがスパムメールであった場合には、スパムメールを示すタグを付与してユーザ端末へ転送する機能、さらには、これら迷惑メールである受信メールを削除し、削除した旨のメールをユーザ端末へ転送する機能が設けられている。これにより、ユーザに対して、迷惑メールが届いたことが通知されることになる。
【０００５】
一方、このようなメール対策機能は、迷惑メールに対する有効な機能ではあるが、ユーザによっては、そもそも迷惑メールが届いたという通知を必要とせず、迷惑メールが削除されれば届いたことを知らなくてもよいという声も多い。
【０００６】
しかしながら、メール監視装置は、ユーザ端末とメールサーバとの間でやり取りされるメールを中継する際にメールチェックする装置であるため、ユーザ端末やメールサーバとのメールのやり取りに対して矛盾が生じないよう処理を完了する必要がある。
例えば、ユーザ端末から指示されたメール受信処理に応じて、メールサーバから読み出された受信メールが、迷惑メールであると検出しても、何等かのメールをユーザ端末へ転送して、メール受信処理を完了する必要がある。
【０００７】
このため、例えばメールサーバに５通の受信メールが蓄積されている場合には、その中に迷惑メールが含まれていても、ユーザ端末から指示されたメール受信処理に応じて、メールサーバから読み出された５通の受信メールをすべてユーザ端末へ転送する必要がある。したがって、５通の受信メールのうちからメール監視装置で迷惑メールを削除してユーザ端末へ転送すると、ユーザ端末で５通分の受信メールが届かないことになり、メール受信処理が完了せず、結果としてメール受信エラーが発生するという問題点があった。
【０００８】
また、ユーザ端末から指示されたメール送信処理に応じて、ユーザ端末からの送信メールをメールサーバへ転送する場合も同様である。すなわち、ユーザ端末からの送信メールがウィルスメールであると検出されてメール監視装置で削除した場合、メールサーバに対して送信メールを転送するという指示がユーザ端末から通知されているにも関わらず、メールサーバに送信メールが届かないことになるため、メール送信処理が完了せず、結果としてメール送信エラーが発生するという問題点があった。
【０００９】
本発明はこのような課題を解決するためのものであり、ユーザ端末とメールサーバとの間に接続されたメール監視装置で、正常のメール送受信処理と迷惑メールの排除とを両立させることができるメール監視技術を提供することを目的としている。
【課題を解決するための手段】
【００１０】
このような目的を達成するために、本発明にかかるメール監視装置は、メールサーバとユーザ端末との間に接続されて、前記メールサーバから取得した前記ユーザ端末へのメールに関するメールチェックを行うメール監視装置であって、前記メールサーバに対する仮想的なメールクライアントとして動作し、前記メールサーバから前記メールを取得するメールクライアント処理部と、前記メールが迷惑メールであるか否か判定するメール判定部と、前記ユーザ端末に対する仮想的なメールサーバとして動作し、前記メールのうち迷惑メールではないと判定されたメールのみを、前記ユーザ端末へ転送するメールサーバ処理部とを備えている。
【００１１】
また、本発明にかかる他のメール監視装置は、メールサーバとユーザ端末との間に接続されて、前記ユーザ端末から取得した前記メールサーバへのメールに関するメールチェックを行うメール監視装置であって、前記ユーザ端末に対する仮想的なメールサーバとして動作し、前記ユーザ端末から前記メールを取得するメールサーバ処理部と、前記メールが迷惑メールであるか否か判定するメール判定部と、前記メールサーバに対する仮想的なメールクライアントとして動作し、前記メールのうち迷惑メールではないと判定されたメールのみを、前記メールサーバへ転送するメールクライアント処理部とを備えている。
【００１２】
また、本発明にかかる他のメール監視装置は、前記メール判定部が、前記メールが迷惑メールであると判定された場合、前記メールを削除するようにしたものである。
【００１３】
また、本発明にかかる他のメール監視装置は、前記メール判定部で前記メールが迷惑メールであると判定された場合、前記メールを保存するメール保存部と、前記ユーザ端末からの閲覧指示に応じて、指定されたメールのメール本文を前記メール保存部から読み出して、メール本文を表示した表示画面を前記ユーザ端末の画面に表示するメール内容表示部とをさらに備えるものである。
【発明の効果】
【００１４】
本発明によれば、ユーザ端末とメールサーバとの間に接続されたメール監視装置で、正常のメール送受信処理と迷惑メールの排除とを両立させることができる。
【図面の簡単な説明】
【００１５】
【図１】メール監視装置の構成を示すブロック図である。
【図２】メールアカウントの設定例である。
【図３】メール受信処理を示すフローチャートである。
【図４】メール送信処理を示すフローチャートである。
【発明を実施するための形態】
【００１６】
次に、本発明の一実施の形態について図面を参照して説明する。
［メール監視装置］
まず、図１を参照して、本実施の形態にかかるメール監視装置１０について説明する。図１は、メール監視装置の構成を示すブロック図である。
【００１７】
このメール監視装置１０は、全体としてゲートウェイ装置、ファイアーウォール装置、あるいは、ＵＴＭ装置（Unified Threat Management）などのネットワーク機器からなり、ＬＡＮ側のユーザ端末２０とＷＡＮ側のメールサーバ３０との間に接続されて、ユーザ端末２０から送信された送信メールをメールサーバ３０へ転送するとともに、メールサーバ３０から受信した受信メールをユーザ端末２０へ配信し、これら送信メールおよび受信メールに関する迷惑メールチェックを行う機能を有している。
【００１８】
なお、本発明における迷惑メールには、コンピュータウィルスに感染した添付情報が添付されているウィルスメールのほか、受信者の意図を無視して事前の要請や同意なしに、無差別かつ大量発信されるスパムメールも含まれているものとする。
【００１９】
本発明は、メール監視装置１０に、仮想的なメールクライアントとして動作することにより、メールサーバ３０との間でユーザのメールを送受信するメールクライアント処理部１２と、仮想的なメールサーバとして動作することにより、ユーザ端末２０との間でユーザのメールを送受信するメールサーバ処理部１４とを設け、メールクライアント処理部１２とメールサーバ処理部１４との間でやり取りするメールに関する迷惑メールチェックをメール判定部１５で実行するようにしたものである。
【００２０】
次に、図１を参照して、本実施の形態にかかるメール監視装置１０の構成について詳細に説明する。
メール監視装置１０には、主な機能部として、ＷＡＮ側Ｉ／Ｆ部１１、メールクライアント処理部１２、ＬＡＮ側Ｉ／Ｆ部１３、メールサーバ処理部１４、メール判定部１５、メール保存部１６、およびメール内容表示部１７が設けられている。
【００２１】
ＷＡＮ側Ｉ／Ｆ部１１は、ＷＡＮ側である通信ネットワークＮＷを介してメールサーバ３０とデータ通信を行うことにより、ユーザのメールをやり取りする機能を有している。
メールクライアント処理部１２は、メールサーバ３０に対する仮想的なメールクライアントとして動作し、ＷＡＮ側Ｉ／Ｆ部１１を介してメールサーバ３０との間でユーザのメールを送受信する機能を有している。
【００２２】
ＬＡＮ側Ｉ／Ｆ部１３は、ＬＡＮ側である通信回線Ｌを介して各ユーザ端末２０とデータ通信を行うことにより、ユーザのメールをやり取りする機能を有している。
メールサーバ処理部１４は、ユーザ端末２０に対する仮想的なメールサーバとして動作することにより、ＬＡＮ側Ｉ／Ｆ部１３を介してユーザ端末２０との間でユーザのメールを送受信する機能とを有している。
【００２３】
メール判定部１５は、メールクライアント処理部１２によりメールサーバ３０から取得したユーザ端末２０へのメール、または、メールサーバ処理部１４によりユーザ端末２０から受信したメールサーバ３０へのメールについて、迷惑メールであるか否か判定する機能と、迷惑メールでないと判定された正常メールのみを、メールサーバ処理部１４またはメールクライアント処理部１２へ転送する機能を有している。
【００２４】
また、メール判定部１５は、迷惑メールであると判定されたメールについては、ユーザ端末２０に関する迷惑メール処理設定の内容に応じて、当該メールを削除し、または当該メールをメール保存部１６へ保存する機能を有している。
メール保存部１６は、ハードディスクや半導体メモリなどの記憶装置からなり、メール判定部１５により迷惑メールであると判定されたメールを、保存する機能を有している。
【００２５】
メール判定部１５には、主な処理部として、スパムメール判定部１５Ａとウィルスメール判定部１５Ｂとが設けられている。
メール保存部１６には、主な処理部として、それぞれ異なる記憶領域に、スパムメール保存部１６Ａとウィルスメール保存部１６Ｂとが設けられている。
【００２６】
スパムメール判定部１５Ａは、所定のルールに基づいて、判定対象となるメールがスパムメールか否かをチェックする機能と、スパムメールである場合には、ユーザ端末２０に関するスパムメール処理設定の内容に応じて、当該メールを削除し、あるいは、当該メールをスパムメール保存部１６Ａへ保存し、あるいは、スパムメールのタグを付与して当該メールをメールクライアント処理部１２またはメールサーバ処理部１４へ転送する機能を有している。
【００２７】
ウィルスメール判定部１５Ｂは、所定のルールに基づいて、判定対象となるメールがウィルスメールか否かをチェックする機能と、ウィルスメールである場合には、ユーザ端末２０に関する迷惑メール処理設定の内容に応じて、当該メールを削除し、あるいは、ウィルスメール保存部１６Ｂに保存する機能とを有している。スパムメールやウィルスメールの判定については、一般的な手法を用いればよい。
【００２８】
メール判定部１５は、これらスパムメール判定部１５Ａおよびウィルスメール判定部１５Ｂの双方で、スパムメールでなくウィルスメールでないと判定されたメール、すなわち迷惑メールでないと判定された正常メールのみを、メールサーバ処理部１４またはメールクライアント処理部１２へ転送する。
【００２９】
図２は、メールアカウントの設定例である。メール監視装置１０を介さずにユーザ端末２０からメールサーバ３０へアクセスする場合、ユーザ端末２０でのメールアカウント設定は、図２（ａ）に示すような内容となる。ここでは、「受信メールサーバ」および「送信メールサーバ」のアドレスとして、メールサーバ３０の「ｐｏｐｓｅｒｖｅｒ．ｂｂｂ．ｊｐ」および「ｓｍｔｐｓｅｒｖｅｒ．ｂｂｂ．ｊｐ」が設定されており、メールのやり取りに用いる「暗号化」の方式として「ＳＳＬ」が設定されている。
【００３０】
一方、メール監視装置１０を介してユーザ端末２０からメールサーバ３０へアクセスする場合、ユーザ端末２０でのメールアカウント設定は、図２（ｂ）に示すような内容となる。ここでは、「受信メールサーバ」および「送信メールサーバ」のアドレスとして、メールサーバ３０ではなく、メール監視装置１０のメールサーバ処理部１４を示す「ｐｏｐｓｅｒｖｅｒ．ｕｔｍ」および「ｓｍｔｐｓｅｒｖｅｒ．ｕｔｍ」が設定されており、メールのやり取りに用いる「暗号化」の方式として「暗号化なし」が設定されている。
【００３１】
また、メール監視装置１０を介してユーザ端末２０からメールサーバ３０へアクセスする場合、メール監視装置１０のメールクライアント処理部１２において、図２（ｃ）に示すような、メールサーバ３０へアクセスするためのメールアカウント設定が必要となる。ここでは、図２（ａ）と同様に、「受信メールサーバ」および「送信メールサーバ」のアドレスとして、メールサーバ３０の「ｐｏｐｓｅｒｖｅｒ．ｂｂｂ．ｊｐ」および「ｓｍｔｐｓｅｒｖｅｒ．ｂｂｂ．ｊｐ」が設定されており、メールのやり取りに用いる「暗号化」の方式として「ＳＳＬ」が設定されている。
【００３２】
これにより、ユーザ端末２０は、メールサーバ３０ではなく、メール監視装置１０のメールサーバ処理部１４にアクセスして、メールを送受信することになり、その際、暗号化方式を用いないでメールをやり取りすることになる。また、メールクライアント処理部１２は、メールサーバ３０にアクセスして、メールを送受信することになり、その際、暗号化方式としてＳＳＬを用いてメールをやり取りすることになる。
【００３３】
したがって、メールサーバ３０に届いたユーザ端末２０の受信メールは、メール監視装置１０のメールクライアント処理部１２により、メールサーバ３０から取得されて、メール判定部１５により迷惑メールか否か判定され、迷惑メールでないと判定された場合には、メールサーバ処理部１４からユーザ端末２０へ転送される。また、迷惑メールであると判定された場合には、ユーザ端末２０に関するメール処理設定の内容に応じて、当該メールを削除し、あるいは、当該メールをメール保存部１６へ保存し、あるいは、スパムメールの場合にはタグを付与してメールサーバ処理部１４からユーザ端末２０へ転送することになる。
【００３４】
一方、ユーザ端末２０からの送信メールは、メール監視装置１０のメールサーバ処理部１４により取得されて、メール判定部１５により迷惑メールか否か判定され、迷惑メールでないと判定された場合には、メールクライアント処理部１２からメールサーバ３０へ転送される。また、迷惑メールであると判定された場合には、ユーザ端末２０に関するスパムメール処理設定の内容に応じて、当該メールを削除し、あるいは、当該メールをメール保存部１６へ保存し、あるいは、ウィルスメールの場合にはその旨を通知するメールをメールサーバ処理部１４からユーザ端末２０へ転送することになる。
【００３５】
メール内容表示部１７は、ユーザ端末２０からの閲覧指示に応じて、指定された迷惑メールをメール保存部１６から読み出して、メール本文を表示した表示画面をユーザ端末２０の画面に表示する機能を有している。
これにより、ユーザ端末２０に対して迷惑メール全体が転送されるのではなく、迷惑メールの表示画面がユーザ端末２０で画面表示されることになる。
【００３６】
これについては、例えばメール内容表示部１７が迷惑メールのメール本文を表示する表示処理を行い、得られた表示画面をユーザ端末２０に配信することで実現できる。
したがって、指定された迷惑メールに、ウィルス感染した添付ファイルや不正スクリプトが添付されていても、ユーザ端末２０には転送されないため、ユーザ端末２０がウィルスに感染することはない。これにより、ユーザ端末２０は安全な状態で迷惑メールの内容を閲覧できる。
【００３７】
［本実施の形態の動作］
次に、本実施の形態にかかるメール監視装置１０の動作として、メールサーバ３０に届いている受信メールをユーザ端末２０へ転送するメール受信処理と、ユーザ端末２０からの送信メールをメールサーバ３０へ転送するメール送信処理とについて、それぞれ説明する。
【００３８】
［メール受信処理］
まず、図３を参照して、本実施の形態にかかるメール監視装置１０のメール受信処理について説明する。図３は、メール受信処理を示すフローチャートである。
メール監視装置１０は、ユーザ端末２０からのメール受信要求に応じて、図３のメール受信処理を実行する。なお、ユーザ端末２０に関するメール処理設定の内容として、迷惑メールを削除する旨が設定されているものとする。
【００３９】
まず、メールクライアント処理部１２は、ＷＡＮ側Ｉ／Ｆ部１１から通信ネットワークＮＷを介してメールサーバ３０にアクセスし、メールサーバ３０に蓄積されているユーザ端末２０に関する受信メールの受信メール数Ｎを取得し（ステップ１００）、受信メール数Ｎをゼロと比較することにより、受信メールの有無を確認する（ステップ１０１）。
【００４０】
ここで、受信メール数Ｎがゼロであり、受信メールがメールサーバ３０に蓄積されていない場合（ステップ１０１：ＮＯ）、メールサーバ処理部１４は、ユーザ端末２０に対する受信メール転送処理を開始し（ステップ１０７）、一連のメール受信処理を終了する。これにより、メールサーバ処理部１４には、受信メールが転送されていないため、ユーザ端末２０に対して、受信メールが届いていないことが通知される。
【００４１】
一方、受信メール数Ｎがゼロより大きく、受信メールがメールサーバ３０に蓄積されている場合（ステップ１０１：ＹＥＳ）、メールクライアント処理部１２は、ｉ（ｉ＝１，２，…，Ｎ）番目の受信メールをメールサーバ３０から取得してメール判定部１５に転送する（ステップ１０２）。
【００４２】
メール判定部１５は、メールクライアント処理部１２から転送された受信メールについて、迷惑メールか否か判定し（ステップ１０３）、迷惑メールでない場合（ステップ１０３：ＮＯ）、当該受信メールをメールサーバ処理部１４へ転送し（ステップ１０４）、迷惑メールである場合（ステップ１０３：ＹＥＳ）、当該メールを削除する（ステップ１０５）。
【００４３】
その後、メールクライアント処理部１２は、Ｎとｉを比較することにより、すべての受信メールを取得したか確認し（ステップ１０６）、Ｎ＞ｉであり未取得の受信メールが残っている場合には（ステップ１０６：ＮＯ）、ステップ１０２へ戻る。
一方、Ｎ＝ｉでありすべての受信メールを取得した場合（ステップ１０６：ＹＥＳ）、ステップ１０７へ移行して、メールサーバ処理部１４は、ユーザ端末２０に対する受信メール転送処理を開始し（ステップ１０７）、一連のメール受信処理を終了する。
【００４４】
これにより、メールサーバ処理部１４には、メール判定部１５から迷惑メールでない受信メールのみが転送されているため、ユーザ端末２０に対して、正常な受信メールのみが転送されることになる。このため、受信メール数Ｎのうち、迷惑メールが２通含まれていた場合、ユーザ端末２０には、Ｎ−２通の受信メールが届いた旨が通知され、迷惑メールが届いたことについては通知されないものとなる。
【００４５】
なお、図３では、ユーザ端末２０からのメール受信要求に応じて、メールサーバ３０から受信メールを順に取得する場合を例として説明したが、これに限定されるものではない。例えば、メール監視装置１０が、指定時刻に自律的に、メールサーバ３０から受信メールを取得してメール判定をした後、メールサーバ処理部１４に蓄積しておき、ユーザ端末２０からのメール受信要求に応じて、メールサーバ処理部１４に蓄積されている受信メールをユーザ端末２０へ転送するようにしてもよい。これにより、稼働時間以外の時間など任意のタイミングでメールサーバ３０からメールを取得でき、メール受信要求に応じて逐次取得してメール判定する場合と比較して、メール監視装置１０での処理負担を軽減できる。
【００４６】
［メール送信処理］
次に、図４を参照して、本実施の形態にかかるメール監視装置１０のメール送信処理について説明する。図４は、メール送信処理を示すフローチャートである。
メール監視装置１０は、ユーザ端末２０からのメール送信要求に応じて、図４のメール送信処理を実行する。なお、ユーザ端末２０に関するメール処理設定の内容として、迷惑メールを削除する旨が設定されているものとする。
【００４７】
まず、メールサーバ処理部１４は、ＬＡＮ側Ｉ／Ｆ部１３により通信回線Ｌを介してユーザ端末２０から送信メールを取得し、メール判定部１５に転送する（ステップ１１０）。
メール判定部１５は、メールサーバ処理部１４から転送された送信メールについて、迷惑メールか否か判定し（ステップ１１１）、メールサーバ処理部１４から転送された送信メールが迷惑メールである場合（ステップ１１１：ＹＥＳ）、メール判定部１５は、当該送信メールを削除し（ステップ１１３）、一連のメール送信処理を終了する。
【００４８】
一方、送信メールが迷惑メールでない場合（ステップ１１１：ＮＯ）、当該送信メールをメールクライアント処理部１２へ転送する（ステップ１１２）。
これに応じて、メールクライアント処理部１２は、メールサーバ３０に対する送信メール転送処理を開始し（ステップ１１４）、一連のメール送信処理を終了する。
これにより、メールクライアント処理部１２には、メール判定部１５から迷惑メールでない送信メールのみが転送されるため、メールサーバ３０に対して、正常な送信メールのみが転送されることになる。
【００４９】
［本実施の形態の効果］
このように、本実施の形態は、メールクライアント処理部１２が、メールサーバ３０に対する仮想的なメールクライアントとして動作して、メールサーバ３０からメールを取得し、メール判定部１５が、当該メールが迷惑メールであるか否か判定し、メールサーバ処理部１４が、ユーザ端末２０に対する仮想的なメールサーバとして動作して、メールサーバ３０から取得したメールのうち迷惑メールではないと判定されたメールのみを、ユーザ端末２０へ転送するようにしたものである。
【００５０】
これにより、メールサーバ処理部１４には、メール判定部１５から迷惑メールでない受信メールのみが転送されているため、ユーザ端末２０に対して、正常な受信メールのみが転送されることになる。このため、受信メール数Ｎのうち、迷惑メールが２通含まれていた場合、ユーザ端末２０には、Ｎ−２通の受信メールが届いた旨が通知され、迷惑メールが届いたことについては通知されないものとなる。
【００５１】
したがって、迷惑メールの削除により、メールサーバ３０から通知された受信メール数分のメールがユーザ端末２０に届かなくなってメール受信処理が完了せず、結果としてメール受信エラーが発生する、という状況を回避することができる。このため、ユーザ端末２０とメールサーバ３０との間に接続されたメール監視装置１０における、正常なメール受信処理と迷惑メールの排除とを両立させることが可能となる。
【００５２】
また、メールクライアント処理部１２が、仮想的なメールクライアントとして動作するため、ユーザ端末２０と同様にメールサーバ３０からのメールが暗号化されていても復号化することができる。このため、メール判定部１５には、復号化された状態でメールが転送されるため、メール判定部１５で容易にウィルスチェックやスパムチェックを実施することが可能となる。なお、通信回線Ｌはメール監視装置１０の配下のセキュアなＬＡＮとなるため、ユーザ端末２０とやり取りするメールについては暗号化を省くことができる。
【００５３】
また、本実施の形態は、メールサーバ処理部１４が、ユーザ端末２０に対する仮想的なメールサーバとして動作して、ユーザ端末２０からメールを取得し、メール判定部１５が、当該メールが迷惑メールであるか否か判定し、メールクライアント処理部１２が、メールサーバ３０に対する仮想的なメールクライアントとして動作して、ユーザ端末２０から取得したメールのうち迷惑メールではないと判定されたメールのみを、メールサーバ３０へ転送するようにしたものである。
【００５４】
これにより、メールクライアント処理部１２には、メール判定部１５から迷惑メールでない送信メールのみが転送されるため、メールサーバ３０に対して、正常な送信メールのみが転送されることになる。
したがって、迷惑メールの削除により、メールサーバ３０に対して送信メールを転送するという指示がユーザ端末２０から通知されているにも関わらず、メールサーバ３０に送信メールが届かなくなってメール送信処理が完了せず、結果としてメール送信エラーが発生する、という状況を回避することができる。このため、ユーザ端末２０とメールサーバ３０との間に接続されたメール監視装置１０における、正常なメール送信処理と迷惑メールの排除とを両立させることが可能となる。
【００５５】
また、本実施の形態において、メールが迷惑メールであると判定された場合、メール判定部１５が当該メールを削除するようにしてもよい。これにより、ユーザにとって不要なメールを保存しておく必要がなくなり、メール監視装置１０の回路規模やコストを削減できる。
【００５６】
また、本実施の形態において、メール判定部１５でメールが迷惑メールであると判定された場合、そのメールをメール保存部１６に保存しておき、ユーザ端末２０からの閲覧指示に応じて、メール内容表示部１７が、指定されたメールのメール本文をメール保存部１６から読み出して、メール本文を表示した表示画面をユーザ端末２０の画面に表示するようにしてもよい。
【００５７】
これにより、ユーザ端末２０に対して迷惑メール全体が転送されるのではなく、迷惑メールの表示画面がユーザ端末２０で画面表示されることになる。
したがって、指定された迷惑メールに、ウィルス感染した添付ファイルや不正スクリプトが添付されていても、ユーザ端末２０には転送されないため、ユーザ端末２０がウィルスに感染することはない。これにより、ユーザ端末２０は安全な状態で迷惑メールの内容を閲覧できる。
【００５８】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００５９】
１０…メール監視装置、１１…ＷＡＮ側Ｉ／Ｆ部、１２…メールクライアント処理部、１３…ＬＡＮ側Ｉ／Ｆ部、１４…メールサーバ処理部、１５…メール判定部、１５Ａ…スパムメール判定部、１５Ｂ…ウィルスメール判定部、１６…メール保存部、１６Ａ…スパムメール保存部、１６Ｂ…ウィルスメール保存部、１７…メール内容表示部、２０…ユーザ端末、３０…メールサーバ、ＮＷ…通信ネットワーク、Ｌ…通信回線。
【図１】
2018041242.tif 000003
【図２】
2018041242.tif 000004
【図３】
2018041242.tif 000005
【図４】
2018041242.tif 000006